(57)【要約】【課題】ユーザ自身へのガイダンスを変更することなく、被写体へのガイダンスのみを簡単に変更することができる撮像装置を提供すること。【解決手段】音声発生手段（９３）と位置特定手段（９１）とメモリ手段（５６）とを有する撮像装置において、使用者へのガイダンス変更することなく被写体への音声ガイダンスのみを変更することができ、位置特定手段（９１）によって特定された現在位置に対して最適な音声ガイダンスを自動で選択し、被写体への音声ガイダンスを前記自動で選択された音声ガイダンスへ変更するように使用者に促すことを特徴とする。【選択図】図３
2016201715.tif 000002
【特許請求の範囲】
【請求項１】
音声発生手段（９３）と位置特定手段（９１）とメモリ手段（５６）とを有する撮像装置において、
使用者へのガイダンス変更することなく被写体への音声ガイダンスのみを変更することができ、位置特定手段（９１）によって特定された現在位置に対して最適な音声ガイダンスを自動で選択し、被写体への音声ガイダンスを前記自動で選択された音声ガイダンスへ変更するように使用者に促すことを特徴とする撮像装置。
【請求項２】
外部通信手段（１１２）を有し、
音声ガイダンスを外部通信手段（１１２）から外部端末を経由してダウンロードしてメモリ手段（５６）に記録することを特徴とする請求項１に記載の撮像装置。
【請求項３】
無線通信手段（９２）を有し、
音声ガイダンスを無線通信手段（９２）から外部端末を経由してダウンロードしてメモリ手段（５６）に記録することを特徴とする請求項１に記載の撮像装置。
【請求項４】
現在位置に対応させるための言語エリアの情報を有し、
前記位置特定手段（９１）によって特定された現在位置が前回使用時の位置と言語エリアが異なる場合に被写体への音声ガイダンスを変更するよう使用者に促すことを特徴とする請求項２又は請求項３に記載の撮像装置。
【請求項５】
現在位置に対応させるための言語エリアの情報を有し、
前記位置特定手段（９１）によって特定された現在位置が前回使用時の位置と言語エリアが異なり、該当する言語エリアに最適な被写体への音声ガイダンスがメモリ6手段に記録されていない場合に、最適な被写体への音声ガイダンスをダウンロードするよう使用者に促すことを特徴とする請求項３に記載の撮像装置。
【請求項６】
前記位置特定手段（９１）によって特定された現在位置が前回使用時の位置と言語エリアが異なるかどうかの判定を撮像装置の電源を入れた際に行うことを特徴とする請求項４または請求項５に記載の撮像装置。
【請求項７】
撮影モードとしてセルフタイマーモードを有し、前記位置特定手段（９１）によって特定された現在位置が前回使用時の位置と言語エリアが異なるかどうかの判定を撮影モードがセルフタイマーモードに変更された際に行うことを特徴とする請求項４又は請求項５に記載の撮像装置。
【発明の詳細な説明】
【技術分野】
【０００１】
本発明は、一眼レフカメラ等の撮像装置に関し、特にレリーズする際に発する音声に関する。
【背景技術】
【０００２】
従来セルフタイマー撮影時に音声でガイドする機能を有するカメラが提案されている。またセルフタイマーなどを含めた各種音声ガイダンスの言語をＧＰＳによって自動で変更するカメラが提案されている。
【０００３】
特許文献１には、セルフタイマーの音声データをユーザが記録することができるセルフタイマー付きカメラが開示されている。特許文献２には、撮影者にタイトル原語の設定の為の煩わしい操作を強要することなく、又タイトル原語の変更忘れや変更ミスを生じることなく、適正なタイトル原語を設定可能にするカメラが開示されている。
【先行技術文献】
【特許文献】
【０００４】
【特許文献１】特開２００４−２０５８６７号公報
【特許文献２】特開平１１−２９５８０４号公報
【発明の概要】
【発明が解決しようとする課題】
【０００５】
海外旅行などに行って現地の人を撮影する際に被写体となる人物の注意を引くため、または撮影タイミングを知らせるためにカメラに現地語で発音させたい場合、従来は自分で録音させておいたガイダンスを海外移動後に自発的に設定して発音させる必要があった。この場合多くの音声の中から最適な言語を選ぶ作業が面倒であるし、また設定し忘れてしまう可能性があった。それに対し、ＧＰＳ等による位置測定機能によってカメラすべてのガイダンスや表示を変更する機能を有する撮像装置が提案されている。
【０００６】
しかしながら、すべてのガイダンスや表示を現地語に変更してしまうと、旅行中の使用者は自身の使用しなれたガイダンス・表示で使用することができなくなり、撮影に使用をきたす可能性があった。つまりユーザ自身へのガイダンスを変更することなく、被写体へのガイダンスのみを簡単に変更すること困難であった。
【０００７】
本発明の目的は、ユーザ自身へのガイダンスを変更することなく、被写体へのガイダンスのみを簡単に変更することができる撮像装置を提供することにある。
【課題を解決するための手段】
【０００８】
上記の目的を達成するために、本発明は、
音声発生手段（９３）と位置特定手段（９１）とメモリ手段（５６）とを有する撮像装置において、
使用者へのガイダンス変更することなく被写体への音声ガイダンスのみを変更することができ、位置特定手段（９１）によって特定された現在位置に対して最適な音声ガイダンスを自動で選択し、被写体への音声ガイダンスを前記自動で選択された音声ガイダンスへ変更するように使用者に促すことを特徴としている。
【発明の効果】
【０００９】
本発明の撮像装置によれば、自身のために設けられたカメラの表示やガイダンスを変更することなく、被写体に対するガイダンスのみを変更することができる。また、ＧＰＳ等の位置情報特定手段によってその土地に適したガイダンスを自動で判定し変更を促すことができる。これらにより、ユーザの使用する言語と異なる言語を公用語とする地域でも自身のカメラの使いやすさを損なうことなく、より簡単・正確に被写体に撮影者の意図を伝えることができるようになる。
【図面の簡単な説明】
【００１０】
【図１】本発明の撮像装置の一例である。
【図２】本実施形態によるデジタルカメラ１００の構成例を示すブロック図である。
【図３】セルフタイマーモードを選択してから撮影するまでに行われる処理の例である。
【発明を実施するための形態】
【００１１】
以下、図面を参照して本発明の好適な実施形態を説明する。以下、図面を参照して本発明の好適な実施形態を説明する。
【００１２】
図１に、本発明の撮像装置の一例としてのデジタルカメラの外観図を示す。
【００１３】
音声発生手段としてのスピーカ９３は各種ガイダンスやアラートなどを発音するスピーカである。２８は画像や各種情報を表示する表示部である。シャッターボタン６１は撮影指示を行うための操作部である。モードダイアル６０は各種モードを切り替えるための操作部である。外部通信手段としてのコネクタ１１２は接続ケーブル１１１とデジタルカメラ１００とのコネクタである。操作部７０はユーザからの各種操作を受け付ける各種スイッチ、ボタン、タッチパネル等の操作部材より成る操作部である。
【００１４】
コントローラホイール７３は操作部７０に含まれる回転操作可能な操作部材である。７２は電源スイッチであり、電源オン、電源オフを切り替える。記録媒体２００はメモリカードやハードディスク等の記録媒体である。不図示の記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１５】
図２は本実施形態によるデジタルカメラ１００の構成例を示すブロック図である。
【００１６】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００２０】
不揮発性メモリ５６は、電気的に消去・記録可能なメモリであり、例えばＥＥＰＲＯＭ等が用いられる。不揮発性メモリ５６には、システム制御部５０の動作用の定数、プログラム、音声データ等が記憶される。ここでいう、プログラムとは、本実施形態にて後述する各種フローチャートを実行するためのプログラムのことである。
【００２１】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００２３】
モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２６】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。
【００２７】
なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２８】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２９】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。無線通信手段としての無線通信部９２は外部との無線電波の送受信を行う。ＧＰＳ９１はＧＰＳ衛星からの電波を受信し、各衛星からの時刻情報を基にデジタルカメラ１００の現在地を算出する。スピーカ９３は各種音声やアラート音などを発音する。
【００３０】
上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００３１】
顔検出機能について説明する。システム制御部５０は顔検出対象の画像データを画像処理部２０に送る。システム制御部５０の制御下で画像処理部２０は、当該画像データに水平方向バンドパスフィルタを作用させる。また、システム制御部５０の制御下で画像処理部２０は処理された画像データに垂直方向バンドパスフィルタを作用させる。これら水平及び垂直方向のバンドパスフィルタにより、画像データよりエッジ成分が検出される。
【００３２】
その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数などの特徴量をメモリ５２に記憶する。
【００３３】
以上のようにライブビュー表示あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。
【００３４】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００３５】
以下、図１〜図３を参照して、本発明の各実施例の動作を説明する。
【００３６】
［実施例１］
実施例１では、セルフタイマーモードを選択してから撮影するまでに行われる処理の例を述べる。
【００３７】
図３は実施例１におけるガイダンス音声変更を促す処理のフローチャートである。このフローチャートおける各処理は、システム制御部５０が不揮発性メモリ５６に格納されたプログラムをメモリ３２に展開して実行することにより実現される。
【００３８】
まずステップＳ１００でユーザがデジタルカメラ１００の撮影モードをセルフタイマーモードに変更すると、ステップＳ１１０でシステム制御部５０がＧＰＳ９１によって特定されたデジタルカメラ１００の現在位置が所属する地域を判定する。ステップＳ１１０でシステム制御部５０に判定された該地域が不揮発性メモリ５６に記録されている前回の判定された地域と同じか否かをステップＳ１２０で判定する。ステップＳ１２０での判定が同じ場合はステップＳ１３０へ進み同じで無い場合はステップＳ１４０へ進む。ステップＳ１４０ではシステム制御部５０がＧＰＳ９１によって特定されたデジタルカメラ１００の現在位置から判定した該地域を不揮発性メモリ５６に記録する。
【００３９】
ステップＳ１５０でユーザが事前にコネクタ１１２または無線通信部９２または記録媒体２００とＩ／Ｆ１８を用いてパーソナルコンピュータ等から不揮発性メモリに記録させているセルフタイマー音声の中に、ステップＳ１１０で判定された地域に対して推奨される音声が記録されているか否かをシステム制御部５０が判定する。記録されていた場合はステップＳ１６０へ進み、記録されていなかった場合はステップＳ２００へ進む。ステップＳ１６０ではシステム制御部５０はセルフタイマー音声の変更をユーザに促すガイダンスを表示部２８に表示する。
【００４０】
ステップＳ１７０ではシステム制御部５０はユーザによって決定操作に割り当てられている操作部７０を操作したか、決定操作以外が割り当てられている操作部７０を操作したかを判定する。決定操作に割り当てられている操作部７０を操作した場合はステップＳ１８０に進み、決定操作以外に割り当てられている操作部７０を操作した場合はステップＳ１３０に進む。また、いずれの操作も行われていない場合には表示部２８にガイダンスを表示し続ける。ステップＳ１８０ではシステム制御部がセルフタイマー音声を現在位置が所属する地域に適するセルフタイマー音声に変更する。
【００４１】
ステップＳ１９０ではセルフタイマー音声を変更したことを伝える文言を表示部２８に表示する。ステップＳ２００ではシステム制御部５０がセルフタイマー音声のダウンロードおよび変更をユーザに促すガイダンスを表示部２８に表示する。ステップＳ２２０ではシステム制御部５０はユーザによって決定操作に割り当てられている操作部７０を操作したか、決定操作以外が割り当てられている操作部７０を操作したかを判定する。決定操作に割り当てられている操作部７０を操作した場合はステップＳ２３０に進み、決定操作以外に割り当てられている操作部７０を操作した場合はステップＳ１３０に進む。
【００４２】
また、いずれの操作も行われていない場合には表示部２８にガイダンスを表示し続ける。ステップＳ２３０ではシステム制御部５０が無線通信部９２を用いて無線通信を行ってインターネットに接続し、サーバから現在位置が所属する地域に適するセルフタイマー音をダウンロードする。ダウンロードされた該セルフタイマー音はシステム制御部５０によって不揮発性メモリ５６に記録されステップＳ１８０へ進む。ステップＳ１３０は撮影待機状態である。ステップＳ２４０でシステム制御部５０がユーザによりシャッターボタン６１が操作されＳＷ２がＯＮされたか否かを判定する。
【００４３】
ＳＷ２がＯＮされたと判定した場合はＳ２５０およびＳ２６０へ進む。ステップＳ２５０ではシステムタイマー５３がセルフタイマーの１０秒を計測し、１０秒経過したらステップＳ２７０へ進む。ステップＳ２６０ではシステム制御部５０がスピーカ９３から現在のセルフタイマー音声に登録されているセルフタイマー音声を発音させてステップＳ２７０へ進む。ステップＳ２７０では撮影を行う。
【００４４】
以上のように、実施例１によればセルフタイマー音声を、ＧＰＳ９１を用いて判定したデジタルカメラ１００の現在位置の地域に適したセルフタイマー音声に簡単に変更することができ、旅行先では現地の人とのコミュニケーションツールとして活用することが可能となる。またこの際に画面表示等の自身に対するガイダンスは変更されないためデジタルカメラ１００の操作性は損なわれない。
【００４５】
なお、図３では現在位置の判定処理を、セルフタイマーモードのＯＮをトリガとして行っているが、電源スイッチ７２のＯＮをトリガとしても良いしその他どのタイミングをトリガとしても良い。このようにすることで普段セルフタイマーモードをＯＮにする機会の少ないユーザにも実施例１に示す現在位置の属する地域に適したセルフタイマー音声が存在することを認識することができ、デジタルカメラを使用する楽しみを増やすことが可能である。
【００４６】
また、本実施例ではデジタルカメラ１００に無線通信部９２を有している構成としたが、無線通信部９２を有していない構成の場合は図３からステップＳ２００・Ｓ２２０・Ｓ２３０を削除し、ステップＳ１５０でシステム制御部５０が判定された地域に対して推奨される音声が不揮発性メモリ５６に記録されていないと判定した場合はステップＳ１３０へ進む。このようにすることで不必要な処理を省略することが可能となる。
【００４７】
本実施例ではセルフタイマー音声を記録する場所を不揮発性メモリ５６としたが、記録媒体２００としても良い。この場合デジタルカメラ１００に内蔵の不揮発性メモリ５６に大きなデータ容量を必要とせず、実施例１よりデジタルカメラ１００の小型軽量低価格化を実現できる可能性がある。
【００４８】
また、図３ではステップＳ１７０およびステップＳ２２０にてユーザが決定操作を行ったか否かを判定条件としたが、ユーザがシャッターボタンを操作したか否かを判定し、操作した場合はステップＳ１３０に進み、操作しなかった場合はステップＳ１８０およびＳ２３０に進むとしても良い。このようにすることで誤ってセルフタイマー音声を変更し損ねる可能性を低減することが可能となる。
【００４９】
さらに、図３ではＧＰＳ９１によって判定された現在位置が属する地域に適するセルフタイマー音声に変更した場合は再度変更しなおすまで変更後のセルフタイマー音声を使用する処理になっているが、顔判別を用いてシステム制御部が自動でセルフタイマー音声を使い分ける処理としても良い。この場合には、あらかじめユーザ本人およびその友人の顔を、顔認識機能を用いて記憶させておく必要がある。そしてまず、ユーザによりセルフタイマーモードが設定された場合に顔判別を行い、人物が検出されなかった場合は、物体や風景等を撮影している場合なのでセルフタイマー音声をしない。
【００５０】
顔判別により人物が検出された場合は基本的に現在位置に適したセルフタイマー音声が発音される。ただし、次の場合には例外としてユーザがデフォルトとして設定しているセルフタイマー音声が発音されるように設定できる。
【００５１】
予め登録された自分自身が検出された場合
予め登録された人物が一人でも検出された場合
予め登録された自分自身しか検出されなかった場合
予め登録された人物しか登録されなかった場合
予め登録されていない人物が検出された数に対して予め登録された人物が検出された数が多い場合
このようにすることで、撮影対象が変わるたびに設定を変更する手間が省けるし、ユーザのスタイルに合わせた設定を行うことが可能となる。
【００５２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５３】
２８  表示部、５０  システム制御部、５６  不揮発性メモリ、９１  ＧＰＳ、
９２  無線通信部、９３  スピーカ、１００  デジタルカメラ、１１２  コネクタ
【図１】
2016201715.tif 000003
【図２】
2016201715.tif 000004
【図３】
2016201715.tif 000005